(57)【特許請求の範囲】
【請求項１】
主体を含み、前記主体の中には保存空間が設置され、前記保存空間が農産物、例えば野菜を保存でき、前記保存空間の前側にはドア軸が回転できるように設置され、前記ドア軸の外周にはドアが固定的に設置され、前記ドアが前記保存空間の前側を密封でき、前記ドアの中には中部空き空間が設置され、前記中部空き空間の中にはロック機構が設置され、前記ロック機構は前記中部空き空間の上下両側内壁に設置された矩形空間を含み、前記矩形空間の中にはスライド板がいずれもスライドできるように設置され、前記スライド板と前記矩形空間との間には第一ばねが取り付けられ、前記スライド板において互いに離れた側面には挿しピンがいずれも固定的に設置され、前記挿しピンが前記保存空間の上下内壁の中に挿入されることができ、前記ドアの位置を制限し、
前記主体の左右両側面には固定板がいずれも固定的に設置され、前記固定板の中には大スライド空間がいずれも設置され、前記大スライド空間の中には固定機構がいずれも設置され、前記固定機構は前記大スライド空間の中にスライドできるように設置されたねじロッド板を含み、前記ねじロッド板の地面には固定柱がいずれも固定的に設置され、前記固定柱の底端がゴム材料であり、前記固定柱が下に移動すると地面にきつく固定でき、装置全体の位置を制限し、前記大スライド空間の頂部には伝動空間が設置され、前記伝動空間の頂部には頂部空き空間が設置され、前記頂部空き空間の中には動力機構が設置され、前記動力機構は回転できるように設置されたプッシュプルロッドを含み、前記プッシュプルロッドの底部が逆のＶ字型であることを特徴とする農産物を保存する環境に優しい省エネ輸送箱。
【請求項２】
前記ドアの右側面には円形空間が設置され、前記円形空間の中には凸ブロックがスライドできるように設置され、前記凸ブロックと前記円形空間の左側内壁との間には上下対称の二つの第二ばねが取り付けられ、前記凸ブロックの左側面には左方に延びるように設置された長スライドロッドが固定的に設置され、前記長スライドロッドの左側延伸部分が前記中部空き空間の中に挿入され、また前記長スライドロッドと前記ドアとが隙間嵌めされていることを特徴とする請求項１に記載の農産物を保存する環境に優しい省エネ輸送箱。
【請求項３】
前記中部空き空間の左側内壁には小スライド溝が設置され、前記小スライド溝の中にはスライド柱がスライドできるように設置され、前記スライド柱の右側面には中空スリーブが固定的に設置され、前記長スライドロッドが前記中空スリーブの中に挿入され、また前記長スライドロッドと前記中空スリーブとがスライドできるように連結され、前記長スライドロッドの左側面と前記中空スリーブとの間には第二ばねが取り付けられ、前記中空スリーブの上下両側にはスライド輪がいずれも回転できるように設置され、前記中空スリーブの上下両側にはＬ型板がいずれも回転できるように設置され、前記Ｌ型板には引き線が固定的に設置され、前記引き線が前記スライド輪の案内により前記中空スリーブと固定されていることを特徴とする請求項２に記載の農産物を保存する環境に優しい省エネ輸送箱。
【請求項４】
前記中空スリーブの後側には固定軸が固定的に設置され、前記固定軸の後側延伸部分が前記ドアの外部まで延び、また前記固定軸の後側延伸部分の末端にはプッシュプルブロックが固定的に設置されていることを特徴とする請求項３に記載の農産物を保存する環境に優しい省エネ輸送箱。
【請求項５】
前記保存空間の頂部内壁の中には冷却機構が固定的に設置され、前記冷却機構が前記保存空間の中に冷気を送り込むことができ、それにより前記保存空間内を低温状態にし、農産物の鮮度保ちに有利であり、前記保存空間の頂壁の中には排気パイプも設置され、前記排気パイプの中にはスライドブロックがスライドできるように設置され、前記スライドブロックの頂面と前記排気パイプの頂壁との間には第四ばねが取り付けられ、前記排気パイプの右側には排気口が設置され、前記スライドブロックが前記排気口を密封でき、前記保存空間の頂壁の中には吸気管が固定的に設置され、前記吸気管が前記主体の外部まで延び、前記吸気管の中には逆止弁が固定的に設置され、前記吸気管を通して前記保存空間の中に二酸化炭素を充填できることを特徴とする請求項１に記載の農産物を保存する環境に優しい省エネ輸送箱。
【請求項６】
前記伝動空間と前記大スライド空間との間には上下に延びるように設置されたねじロッド軸が回転できるように設置され、前記ねじロッド軸の底部延伸部分の外周にはねじ山が設置され、前記ねじロッド軸と前記ねじロッド板とがねじ山により連結され、前記ねじロッド軸の頂部末端には伝動歯車が固定的に設置され、前記伝動空間の中には大歯車が回転できるように設置され、前記大歯車と前記伝動歯車とが噛み合っており、前記大歯車の片側には小歯車が回転できるように設置され、前記小歯車と前記大歯車との間がベルトを通して連結され、前記頂部空き空間と前記伝動空間との間には小スライド空間が設置され、前記小スライド空間の中にはラックがスライドできるように設置され、前記ラックの底面と前記小歯車とが噛み合っており、前記プッシュプルロッドの底部が前記ラックと当接できることを特徴とする請求項１に記載の農産物を保存する環境に優しい省エネ輸送箱。
【請求項７】
前記主体の後側にはハンドルが固定的に設置され、前記主体の底部にはローラーが回転できるように設置されていることを特徴とする請求項１に記載の農産物を保存する環境に優しい省エネ輸送箱。
【発明の詳細な説明】
【技術分野】
【０００１】
本発明は鮮度保ち技術分野を取り上げて、具体的には農産物を保存する環境に優しい省エネ輸送箱である。
【背景技術】
【０００２】
経済の急速発展と住民の生活水平の向上により、人々の食品に対する要求もますます高くなり、野菜などの農産物を収穫後にタイムリーに鮮度を保つ必要があり、そうしないと腐敗しやすくなり、資産の損失を引き起こす。
従来の鮮度保ち装置は、ラップフィルムや冷蔵ショーケースで農産物を保存し、鮮度保ち効果が理想的ではなく、また構造が単一であり、機能が少なく、輸送する過程では、鮮度保ち箱のドアが開きやすく、農産物が飛び散り、また、輸送箱は運搬や移動の過程で労力がかかる。
【先行技術文献】
【特許文献】
【０００３】
【特許文献１】中国特許出願公開第１０５８００１７８号明細書
【発明の概要】
【発明が解決しようとする課題】
【０００４】
本発明の目的は農産物を保存する環境に優しい省エネ輸送箱を提供し、それは上記の現在の技術中の問題を解決できる。
【課題を解決するための手段】
【０００５】
本願発明の実施例の農産物を保存する環境に優しい省エネ輸送箱は、主体を含み、前記主体の中には保存空間が設置され、前記保存空間が農産物、例えば野菜を保存でき、前記保存空間の前側にはドア軸が回転できるように設置され、前記ドア軸の外周にはドアが固定的に設置され、前記ドアが前記保存空間の前側を密封でき、前記ドアの中には中部空き空間が設置され、前記中部空き空間の中にはロック機構が設置され、前記ロック機構は前記中部空き空間の上下両側内壁に設置された矩形空間を含み、前記矩形空間の中にはスライド板がいずれもスライドできるように設置され、前記スライド板と前記矩形空間との間には第一ばねが取り付けられ、前記スライド板において互いに離れた側面には挿しピンがいずれも固定的に設置され、前記挿しピンが前記保存空間の上下内壁の中に挿入されることができ、前記ドアの位置を制限し、前記主体の左右両側面には固定板がいずれも固定的に設置され、前記固定板の中には大スライド空間がいずれも設置され、前記大スライド空間の中には固定機構がいずれも設置され、前記固定機構は前記大スライド空間の中にスライドできるように設置されたねじロッド板を含み、前記ねじロッド板の地面には固定柱がいずれも固定的に設置され、前記固定柱の底端がゴム材料であり、前記固定柱が下に移動すると地面にきつく固定でき、装置全体の位置を制限し、前記大スライド空間の頂部には伝動空間が設置され、前記伝動空間の頂部には頂部空き空間が設置され、前記頂部空き空間の中には動力機構が設置され、前記動力機構は回転できるように設置されたプッシュプルロッドを含み、前記プッシュプルロッドの底部が逆のＶ字型である。
【０００６】
さらなる技術プラン、前記ドアの右側面には円形空間が設置され、前記円形空間の中には凸ブロックがスライドできるように設置され、前記凸ブロックと前記円形空間の左側内壁との間には上下対称の二つの第二ばねが取り付けられ、前記凸ブロックの左側面には左方に延びるように設置された長スライドロッドが固定的に設置され、前記長スライドロッドの左側延伸部分が前記中部空き空間の中に挿入され、また前記長スライドロッドと前記ドアとが隙間嵌めされている。
【０００７】
さらなる技術プラン、前記中部空き空間の左側内壁には小スライド溝が設置され、前記小スライド溝の中にはスライド柱がスライドできるように設置され、前記スライド柱の右側面には中空スリーブが固定的に設置され、前記長スライドロッドが前記中空スリーブの中に挿入され、また前記長スライドロッドと前記中空スリーブとがスライドできるように連結され、前記長スライドロッドの左側面と前記中空スリーブとの間には第二ばねが取り付けられ、前記中空スリーブの上下両側にはスライド輪がいずれも回転できるように設置され、前記中空スリーブの上下両側にはＬ型板がいずれも回転できるように設置され、前記Ｌ型板には引き線が固定的に設置され、前記引き線が前記スライド輪の案内により前記中空スリーブと固定されている。
【０００８】
さらなる技術プラン、前記中空スリーブの後側には固定軸が固定的に設置され、前記固定軸の後側延伸部分が前記ドアの外部まで延び、また前記固定軸の後側延伸部分の末端にはプッシュプルブロックが固定的に設置されている。
【０００９】
さらなる技術プラン、前記保存空間の頂部内壁の中には冷却機構が固定的に設置され、前記冷却機構が前記保存空間の中に冷気を送り込むことができ、それにより前記保存空間内を低温状態にし、農産物の鮮度保ちに有利であり、前記保存空間の頂壁の中には排気パイプも設置され、前記排気パイプの中にはスライドブロックがスライドできるように設置され、前記スライドブロックの頂面と前記排気パイプの頂壁との間には第四ばねが取り付けられ、前記排気パイプの右側には排気口が設置され、前記スライドブロックが前記排気口を密封でき、前記保存空間の頂壁の中には吸気管が固定的に設置され、前記吸気管が前記主体の外部まで延び、前記吸気管の中には逆止弁が固定的に設置され、前記吸気管を通して前記保存空間の中に二酸化炭素を充填できる。
【００１０】
さらなる技術プラン、前記伝動空間と前記大スライド空間との間には上下に延びるように設置されたねじロッド軸が回転できるように設置され、前記ねじロッド軸の底部延伸部分の外周にはねじ山が設置され、前記ねじロッド軸と前記ねじロッド板とがねじ山により連結され、前記ねじロッド軸の頂部末端には伝動歯車が固定的に設置され、前記伝動空間の中には大歯車が回転できるように設置され、前記大歯車と前記伝動歯車とが噛み合っており、前記大歯車の片側には小歯車が回転できるように設置され、前記小歯車と前記大歯車との間がベルトを通して連結され、前記頂部空き空間と前記伝動空間との間には小スライド空間が設置され、前記小スライド空間の中にはラックがスライドできるように設置され、前記ラックの底面と前記小歯車とが噛み合っており、前記プッシュプルロッドの底部が前記ラックと当接できる。
【００１１】
さらなる技術プラン、前記主体の後側にはハンドルが固定的に設置され、前記主体の底部にはローラーが回転できるように設置されている。
【発明の効果】
【００１２】
本願発明の有益な効果は：本願発明の輸送箱は手動でプッシュでき、装置を移動できるようにさせ、それにより便利に移動でき、また、本願発明の装置が温度を低くすることができ、鮮度保ち効果がよくなり、また、ドアを開けたりロックしたりことができ、輸送箱を運送する過程で容易に開けることはなく、農産物の飛び散りを防止し、固定柱が装置全体を地面に固定でき、あちこちにスライドさせなく、また本願発明は構造が簡単であり、操作が便利であり、便利に普及できる。
【図面の簡単な説明】
【００１３】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本願発明の農産物を保存する環境に優しい省エネ輸送箱の内部全体構造概略図
【図２】図２は本願発明の農産物を保存する環境に優しい省エネ輸送箱の左側構造概略図
【図３】図３は本願発明の農産物を保存する環境に優しい省エネ輸送箱の外観概略図
【図４】図４は本願発明のロック機構の局部拡大概略図
【図５】図５は本願発明のプッシュプルロッドの概略図
【発明を実施するための形態】
【００１５】
図１〜５を参照し、本願発明の実施例の農産物を保存する環境に優しい省エネ輸送箱は、主体１０を含み、前記主体１０の中には保存空間１９が設置され、前記保存空間１９が農産物、例えば野菜を保存でき、前記保存空間１９の前側にはドア軸２３が回転できるように設置され、前記ドア軸２３の外周にはドア２４が固定的に設置され、前記ドア２４が前記保存空間１９の前側を密封でき、前記ドア２４の中には中部空き空間７０が設置され、前記中部空き空間７０の中にはロック機構９１が設置され、前記ロック機構９１は前記中部空き空間７０の上下両側内壁に設置された矩形空間２７を含み、前記矩形空間２７の中にはスライド板２８がいずれもスライドできるように設置され、前記スライド板２８と前記矩形空間２７との間には第一ばね２６が取り付けられ、前記スライド板２８において互いに離れた側面には挿しピン２５がいずれも固定的に設置され、前記挿しピン２５が前記保存空間１９の上下内壁の中に挿入されることができ、前記ドア２４の位置を制限し、前記主体１０の左右両側面には固定板１８がいずれも固定的に設置され、前記固定板１８の中には大スライド空間６１がいずれも設置され、前記大スライド空間６１の中には固定機構９２がいずれも設置され、前記固定機構９２は前記大スライド空間６１の中にスライドできるように設置されたねじロッド板６３を含み、前記ねじロッド板６３の地面には固定柱６２がいずれも固定的に設置され、前記固定柱６２の底端がゴム材料であり、前記固定柱６２が下に移動すると地面にきつく固定でき、装置全体の位置を制限し、前記大スライド空間６１の頂部には伝動空間５６が設置され、前記伝動空間５６の頂部には頂部空き空間５４が設置され、前記頂部空き空間５４の中には動力機構９３が設置され、前記動力機構９３は回転できるように設置されたプッシュプルロッド５３を含み、前記プッシュプルロッド５３の底部が逆のＶ字型であり、手動で前記プッシュプルロッド５３を振ることを通して、前記固定柱６２の上下へのスライドを制御できる。
【００１６】
有益的には、前記ドア２４の右側面には円形空間３２が設置され、前記円形空間３２の中には凸ブロック２９がスライドできるように設置され、前記凸ブロック２９と前記円形空間３２の左側内壁との間には上下対称の二つの第二ばね３０が取り付けられ、前記凸ブロック２９の左側面には左方に延びるように設置された長スライドロッド３１が固定的に設置され、前記長スライドロッド３１の左側延伸部分が前記中部空き空間７０の中に挿入され、また前記長スライドロッド３１と前記ドア２４とが隙間嵌めされており、
ドアを閉めるとき、前記凸ブロック２９が円形空間３２の中に押され、前記長スライドロッド３１を左に移動させ、それによりロック機構９１のロック作業に動力を提供する。
【００１７】
有益的には、前記中部空き空間７０の左側内壁には小スライド溝４０が設置され、前記小スライド溝４０の中にはスライド柱４１がスライドできるように設置され、前記スライド柱４１の右側面には中空スリーブ８０が固定的に設置され、前記長スライドロッド３１が前記中空スリーブ８０の中に挿入され、また前記長スライドロッド３１と前記中空スリーブ８０とがスライドできるように連結され、前記長スライドロッド３１の左側面と前記中空スリーブ８０との間には第二ばね４４が取り付けられ、前記中空スリーブ８０の上下両側にはスライド輪４３がいずれも回転できるように設置され、前記中空スリーブ８０の上下両側にはＬ型板４２がいずれも回転できるように設置され、前記Ｌ型板４２には引き線４６が固定的に設置され、前記引き線４６が前記スライド輪４３の案内により前記中空スリーブ８０と固定され、
前記中空スリーブ８０の左右へのスライドを通して、前記引き線４６に前記Ｌ型板４２を引いて回転させ、それにより前記スライド板２８が前記保存空間１９の上下内壁の中に挿入されることができる。
【００１８】
有益的には、前記中空スリーブ８０の後側には固定軸８１が固定的に設置され、前記固定軸８１の後側延伸部分が前記ドア２４の外部まで延び、また前記固定軸８１の後側延伸部分の末端にはプッシュプルブロック４８が固定的に設置され、
手動で前記プッシュプルブロック４８をスライドさせることを通して、前記中空スリーブ８０が左に移動でき、それにより前記スライド板２８が下に移動でき、前記ドア２４のロックを解除する。
【００１９】
有益的には、前記保存空間１９の頂部内壁の中には冷却機構１１が固定的に設置され、前記冷却機構１１が前記保存空間１９の中に冷気を送り込むことができ、それにより前記保存空間１９内を低温状態にし、農産物の鮮度保ちに有利であり、前記保存空間１９の頂壁の中には排気パイプ１７も設置され、前記排気パイプ１７の中にはスライドブロック１５がスライドできるように設置され、前記スライドブロック１５の頂面と前記排気パイプ１７の頂壁との間には第四ばね１４が取り付けられ、前記排気パイプ１７の右側には排気口１６が設置され、前記スライドブロック１５が前記排気口１６を密封でき、前記保存空間１９の頂壁の中には吸気管１３が固定的に設置され、前記吸気管１３が前記主体１０の外部まで延び、前記吸気管１３の中には逆止弁１２が固定的に設置され、
前記吸気管１３を通して前記保存空間１９の中に二酸化炭素を充填でき、前記保存空間１９内の気圧が大きすぎると、前記スライドブロック１５を上にスライドさせ、それにより排気口１６を開け、空気を排出する。
【００２０】
有益的には、前記伝動空間５６と前記大スライド空間６１との間には上下に延びるように設置されたねじロッド軸６０が回転できるように設置され、前記ねじロッド軸６０の底部延伸部分の外周にはねじ山が設置され、前記ねじロッド軸６０と前記ねじロッド板６３とがねじ山により連結され、前記ねじロッド軸６０の頂部末端には伝動歯車５９が固定的に設置され、前記伝動空間５６の中には大歯車５８が回転できるように設置され、前記大歯車５８と前記伝動歯車５９とが噛み合っており、前記大歯車５８の片側には小歯車５５が回転できるように設置され、前記小歯車５５と前記大歯車５８との間がベルト５７を通して連結され、前記頂部空き空間５４と前記伝動空間５６との間には小スライド空間５２が設置され、前記小スライド空間５２の中にはラック７３がスライドできるように設置され、前記ラック７３の底面と前記小歯車５５とが噛み合っており、前記プッシュプルロッド５３の底部が前記ラック７３と当接でき、
手動で前記プッシュプルロッド５３の回転を制御することにより、前記プッシュプルロッド５３の底部に前記ラック７３をスライドさせ、それにより小歯車５５を回転させ、それにより大歯車５８に伝動歯車５９を回転させ、ねじロッド軸６０を回転させ、それにより固定柱６２を下に移動させ、地面に当接させ、装置全体の位置を制限する。
【００２１】
有益的には、前記主体１０の後側にはハンドル５０が固定的に設置され、前記主体１０の底部にはローラー２０が回転できるように設置され、
手動で前記ハンドル５０をプッシュすることを通して、前記主体１０を移動できる。
【００２２】
保存するとき、まず農産物を保存空間１９の中に入れ、そして手動でドア２４を閉め、凸ブロック２９が円形空間３２の中に押圧するように入り、長スライドロッド３１が中空スリーブ８０を左へスライドさせ、Ｌ型板４２を回転させ、それにより挿しピン２５を保存空間１９の上下底壁の中に挿入し、ドア２４の位置を制限し、また吸気管１３を通して保存空間１９の中に二酸化炭素を充填し、そして冷却機構１１を制御し保存空間１９の中に冷気を送り込み、保存を行い、ドア２４を開けるとき、手動で固定軸８１をスライドさせ、中空スリーブ８０をスライドさせ、それにより中空スリーブに長スライドロッド３１に近づかせ、挿しピン２５を保存空間１９の内壁から離脱させ、それによりドア２４を開け、移動するとき、手動で主体１０をプッシュすることにより移動し、手動でプッシュプルロッド５３を引き、ラック７３を移動させ、それにより小歯車５５を回転させ、大歯車５８を回転させ、それによりねじロッド軸６０を回転させ、それにより固定柱６２を下に移動させ、地面に当接させ、装置全体の位置を制限し、プッシュされることができなく、位置の制限を解除するとき、まずプッシュプルロッド５３をプッシュし、小歯車５５を反転させ、それにより位置の制限を解除する。
【００２３】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【要約】
【課題】本発明は農産物に基づいた環境に優しい省エネ輸送箱を開示した。
【解決手段】
主体を含み、前記主体の中には保存空間が設置され、前記保存空間が野菜などの農産物を保存でき、前記保存空間の前側にはドア軸が回転できるように設置され、前記ドア軸の外周にはドアが固定的に設置され、前記ドアが前記保存空間の前側を密封でき、前記ドアの中には中部空き空間が設置され、前記中部空き空間の中にはロック機構が設置され、前記ロック機構は前記中部空き空間の上下両側内壁に設置された矩形空間を含み、前記矩形空間の中にはスライド板がいずれもスライドできるように設置される。
【選択図】図１【図１】
0006752995.tif 000002
【図２】
0006752995.tif 000003
【図３】
0006752995.tif 000004
【図４】
0006752995.tif 000005
【図５】
0006752995.tif 000006